【手続補正書】
【提出日】平成18年9月20日(2006.9.20)
【手続補正１】
【補正対象書類名】明細書
【補正対象項目名】特許請求の範囲
【補正方法】変更
【補正の内容】
【特許請求の範囲】
【請求項１】  第１試験治具と、第２試験治具と、前記第１試験治具と前記第２試験治具の間に挟持される試験片と、前記第１試験治具および前記第２試験治具から前記試験片のＺＸ面およびＺＹ面に応力を与えるボルトとを備えたことを特徴とする多軸応力負荷試験装置。
【請求項２】  前記第１試験治具は、ＺＸ面およびＺＹ面に、前記試験片に対して凹となる凹面部を備えたことを特徴とする請求項１記載の多軸応力負荷試験装置。
【請求項３】  前記第２試験治具は、ＺＸ面およびＺＹ面に、前記試験片に対して凸となる凸面部を備えたことを特徴とする請求項１記載の多軸応力負荷試験装置。
【請求項４】  前記試験片は、第１試験治具に臨む側にすきま形成部材を備えたことを特徴とする請求項１記載の多軸応力負荷試験装置。
【請求項５】  前記試験片の一面側に配置した第１試験治具と、前記試験片の他面側に配置した第２試験治具と、前記第１試験治具と前記第２試験治具とのそれぞれに螺合し、前記試験片のＺＸ面およびＺＹ面に応力を与えるねじとを備えたことを特徴とする多軸応力負荷試験装置。
【請求項６】  前記試験片は、両面に当て板を備えたことを特徴とする請求項５記載の多軸応力負荷試験装置。
【請求項７】  前記試験片の一面側に配置し、中間部分に空間を形成した第１枠板と、前記試験片の他面側に配置し、中間部分に空間を形成した第２枠板と、台板に載設し、前記第２枠板の空間を挿通して前記試験片を支持するブロックと、前記台板および前記第２枠板に螺合し、前記試験片に応力を与えるボルトとを備えたことを特徴とする多軸応力負荷試験装置。
【請求項８】  前記第１枠板および前記第２枠板のそれぞれは、空間を四辺形に形成するとともに、前記四辺形の長片と短片との比を変動させる構成にしたことを特徴とする請求項７記載の多軸応力負荷試験装置。
【請求項９】  前記試験片は、ひずみゲージを備えたことを特徴とする請求項７記載の多軸応力負荷試験装置。
【請求項１０】  前記試験片の一面側に配置した第１試験治具と、前記試験片の他面側に配置した第２試験治具と、前記第１試験治具のＺＸ面を前記試験片に対し、異なる曲率で形成した複数の凹面部と、前記第１試験治具のＺＹ面を前記試験片に対し、一つの曲率で形成した凹面部と、前記第２試験治具のＺＸ面を前記試験片に対し、複数個に形成した凸面部と、前記第２試験治具のＺＹ面を前記試験片に対し、一つに形成した凸面部と、前記第１試験治具および前記第２試験治具から前記試験片のＺＸ面およびＺＹ面に応力を与えるボルトとを備えたことを特徴とする多軸応力負荷試験装置。
【請求項１１】  前記試験片を収容する溝部を備えた固定治具と、前記試験片を前記固定治具にそれぞれ固定支持するピンと、前記試験片に引張応力を与えるボルトと、前記試験片に圧縮応力を与えるボルトとを備えたことを特徴とする多軸応力負荷試験装置。
【請求項１２】  固定治具は、第１固定治具と第２固定治具とに区分けするとともに、引張用のボルトを前記第１固定治具を介して前記第２固定治具に螺合させたことを特徴とする請求項１１記載の多軸応力負荷試験装置。
【請求項１３】  前記固定治具は、第１固定治具と第２固定治具とに区分けするとともに、圧縮用ボルトを前記第２固定治具に螺合させたことを特徴とする請求項１１記載の多軸応力負荷試験装置。
【請求項１４】  前記第２固定治具は、試験片に収容した溝部に試験片の間に補助板を介装したことを特徴とする請求項１２または１３記載の多軸応力負荷試験装置。
【手続補正２】
【補正対象書類名】明細書
【補正対象項目名】００１１
【補正方法】変更
【補正の内容】
【００１１】
【課題を解決するための手段】
本発明に係る多軸応力負荷試験装置は、請求項１に記載したように、第１試験治具と、第２試験治具と、前記第１試験治具と前記第２試験治具の間に挟持される試験片と、前記第１試験治具および前記第２試験治具から前記試験片のＺＸ面およびＺＹ面に応力を与えるボルトとを備えたものである。
【手続補正３】
【補正対象書類名】明細書
【補正対象項目名】００１２
【補正方法】変更
【補正の内容】
【００１２】
また、本発明に係る多軸応力負荷試験装置は、請求項２に記載したように、前記第１試験治具は、ＺＸ面およびＺＹ面に、前記試験片に対して凹となる凹面部を備えたものである。
【手続補正４】
【補正対象書類名】明細書
【補正対象項目名】００１３
【補正方法】変更
【補正の内容】
【００１３】
また、本発明に係る多軸応力負荷試験装置は、請求項３に記載したように、前記第２試験治具は、ＺＸ面およびＺＹ面に、前記試験片に対して凸となる凸面部を備えたものである。
【手続補正５】
【補正対象書類名】明細書
【補正対象項目名】００１５
【補正方法】変更
【補正の内容】
【００１５】
また、本発明に係る多軸応力負荷試験装置は、請求項５に記載したように、前記試験片の一面側に配置した第１試験治具と、前記試験片の他面側に配置した第２試験治具と、前記第１試験治具と前記第２試験治具とのそれぞれに螺合し、前記試験片のＺＸ面およびＺＹ面に応力を与えるねじとを備えたものである。
【手続補正６】
【補正対象書類名】明細書
【補正対象項目名】００１６
【補正方法】変更
【補正の内容】
【００１６】
また、本発明に係る多軸応力負荷試験装置は、請求項６に記載したように、前記試験片は、両面に当て板を備えたものである。
【手続補正７】
【補正対象書類名】明細書
【補正対象項目名】００１７
【補正方法】変更
【補正の内容】
【００１７】
また、本発明に係る多軸応力負荷試験装置は、請求項７に記載したように、前記試験片の一面側に配置し、中間部分に空間を形成した第１枠板と、前記試験片の他面側に配置し、中間部分に空間を形成した第２枠板と、台板に載設し、前記第２枠板の空間を挿通して前記試験片を支持するブロックと、前記台板および前記第２枠板に螺合し、前記試験片に応力を与えるボルトとを備えたものである。
【手続補正８】
【補正対象書類名】明細書
【補正対象項目名】００２０
【補正方法】変更
【補正の内容】
【００２０】
また、本発明に係る多軸応力負荷試験装置は、請求項１０に記載したように、前記試験片の一面側に配置した第１試験治具と、前記試験片の他面側に配置した第２試験治具と、前記第１試験治具のＺＸ面を前記試験片に対し、異なる曲率で形成した複数の凹面部と、前記第１試験治具のＺＹ面を前記試験片に対し、一つの曲率で形成した凹面部と、前記第２試験治具のＺＸ面を前記試験片に対し、複数個に形成した凸面部と、前記第２試験治具のＺＹ面を前記試験片に対し、一つに形成した凸面部と、前記第１試験治具および前記第２試験治具から前記試験片のＺＸ面およびＺＹ面に応力を与えるボルトとを備えたものである。
【手続補正９】
【補正対象書類名】明細書
【補正対象項目名】００２１
【補正方法】変更
【補正の内容】
【００２１】
また、本発明に係る多軸応力負荷試験装置は、請求項１１に記載したように、前記試験片を収容する溝部を備えた固定治具と、前記試験片を前記固定治具にそれぞれ固定支持するピンと、前記試験片に引張応力を与えるボルトと、前記試験片に圧縮応力を与えるボルトとを備えたものである。
【手続補正１０】
【補正対象書類名】明細書
【補正対象項目名】００２３
【補正方法】変更
【補正の内容】
【００２３】
また、本発明に係る多軸応力負荷試験装置は、請求項１３に記載したように、前記固定治具は、第１固定治具と第２固定治具とに区分けするとともに、圧縮用ボルトを前記第２固定治具に螺合させたものである。
【手続補正１１】
【補正対象書類名】明細書
【補正対象項目名】００２７
【補正方法】変更
【補正の内容】
【００２７】
本実施形態に係る多軸応力負荷試験装置は、ＺＸ面上、ＺＹ面上ともに、頭部側にすきま形成部材１４を装着した板状の試験片１５と、このすきま形成部材１４および試験片１５を挟む一面に凹面部１６に形成した第１試験治具１７と、すきま形成部材１４および試験片１５の他面に凸面部１８に形成した第２試験治具１９とを備えている。
【手続補正１２】
【補正対象書類名】明細書
【補正対象項目名】００４２
【補正方法】変更
【補正の内容】
【００４２】
このような構成の多軸応力負荷試験装置において、本実施形態は、試験片１５を第１枠板２６および第２枠板２７で挟んで固定し、試験片１５の底部側の面の中央にひずみゲージ２９を貼付する。
【手続補正１３】
【補正対象書類名】明細書
【補正対象項目名】００４７
【補正方法】変更
【補正の内容】
【００４７】
本実施形態に係る多軸応力負荷試験装置は、ＺＸ面上の頭部側にすきま形成部材１４を装着した板状の試験片１５と、このすきま形成部材１４および試験片１５を挟む一面に異なる複数の曲率で連続的に形成した第１凹面部３１、第２凹面部３２、および第３凹面部３３を備えた第１試験治具１７と、そのＺＸ面の他面に連続的に形成した第１凸面部３４、第２凸面部３５および第３凸面部３６を備えた第２試験治具１９とで構成されている。
【手続補正１４】
【補正対象書類名】明細書
【補正対象項目名】００５０
【補正方法】変更
【補正の内容】
【００５０】
このような構成の多軸応力負荷試験装置において、本実施形態は、試験片１５の板厚をｔ、ＺＸ面における第１試験治具１７の第１凹面部３１の曲率をρＡ、第２凹面部３２の曲率をρＢ、第３凹面部３３の曲率をρＣとし、ＺＹ面における第１試験治具１７の第４凹面部３７の曲率をρＤにそれぞれ設定し、第１試験治具１７および第２試験治具１９を固定支持するボルト２０の増締めを行う。
【手続補正１５】
【補正対象書類名】明細書
【補正対象項目名】００５３
【補正方法】変更
【補正の内容】
【００５３】
このように、本実施形態は、試験片１５を挟む試験治具を、ＺＸ面において第１凹面部３１、第２凹面部３２、第３凹面部３３を形成するとともに、ＺＹ面において第４凹面部３７を形成する第１試験治具１７と、ＺＸ面において、上述第１凹面部３１、第２凹面部３２、第３凹面部３３の各部に対応する第１凸面部３４、第２凸面部３５、第３凸面部３６を形成するとともに、ＺＹ面において、第４凹面部３７に対応する第４凸面部３８を形成する第２試験治具１９とで構成し、これら第１試験治具１７および第２試験治具１９を数多く作製し、数多く作製した第１試験治具１７および第２試験治具１９を用いて試験片１５を挟んで応力腐食割れ試験を行うので、異なった応力値の下、一度により多くの試験を行うことができる。
【手続補正１６】
【補正対象書類名】明細書
【補正対象項目名】００６１
【補正方法】変更
【補正の内容】
【００６１】
【発明の効果】
以上の説明のとおり、本発明に係る多軸応力負荷試験装置は、試験片の多軸面に異なる値の応力を与える試験治具をより多く作製して組み立て、悪い環境の中に試験を設置して応力腐食割れ等試験を行うので、悪環境の下、一度に多くの試験を行うことができる。
【手続補正１７】
【補正対象書類名】図面
【補正対象項目名】図１
【補正方法】変更
【補正の内容】
【図１】
2002296161.tif 000001
【手続補正１８】
【補正対象書類名】図面
【補正対象項目名】図２
【補正方法】変更
【補正の内容】
【図２】
2002296161.tif 000002
【手続補正１９】
【補正対象書類名】図面
【補正対象項目名】図３
【補正方法】変更
【補正の内容】
【図３】
2002296161.tif 000003
【手続補正２０】
【補正対象書類名】図面
【補正対象項目名】図４
【補正方法】変更
【補正の内容】
【図４】
2002296161.tif 000004
【手続補正２１】
【補正対象書類名】図面
【補正対象項目名】図５
【補正方法】変更
【補正の内容】
【図５】
2002296161.tif 000005